(57)【特許請求の範囲】
【請求項１】
システム全体の制御を行う集中制御局と、前記集中制御局と無線により接続される端末局とを有する通信システムにおいて、
集中制御局にて端末局からの種別情報により使用可能な外線の回線数を認識した場合に、認識した使用可能な回線数に応じて、各回線毎に所定のホッピングパターンを割り当てる手段を有することを特徴とする無線通信システム。
【請求項２】
請求項１において、
前記集中制御局は、システム全体で使用する周波数を決定する決定手段と、この決定した周波数に基づいた所定の周波数を用いた基本ホッピングパターンを構成する基本ホッピングパターン構成手段と、前記基本ホッピングパターンを用いて端末局に制御データを送信する制御データ送信手段と、前記基本ホッピングパターンを用いて端末局からの制御データを受信する制御データ受信手段と、前記基本ホッピングパターンを基に集中制御局と端末局との間で使用するホッピングパターンを割り当てる割り当て手段と、端末局同士の通信で使用するホッピングパターンを割り当てる割り当て手段と、端末局からの端末局種別情報を受信する種別情報受信手段とを有することを特徴とする無線通信システム。
【請求項３】
請求項１または２において、
前記端末局は、前記基本ホッピングパターンを用いて集中制御局に制御データを送信する制御データ送信手段と、前記基本ホッピングパターンを用いて集中制御局からの制御データを受信する制御データ受信手段と、自端末の種別情報を集中制御局に送信する種別情報送信手段と、前記集中制御局からのホッピングパターンの割り当てに応じて集中制御局および端末局との通信を行う通信手段と、少なくとも１つの回線に接続する接続手段とを有することを特徴とする無線通信システム。
【請求項４】
請求項１〜３のいずれか１項において、
前記端末局は、集中制御局のからのホッピングパターン割り当て後、端末局同士の通信により公衆網に接続する手段を有することを特徴とする無線通信システム。
【請求項５】
請求項１〜３のいずれか１項において、
端末局同士で使用するための外線毎のホッピングパターンの割り当ては、所定の複数のホッピングパターンの中から通信開始時に、集中制御局により割り当てることを特徴とする無線通信システム。
【請求項６】
請求項１〜３のいずれか１項において、
端末局同士の通信による外線への接続時に、集中制御局より割り当てられる回線毎のホッピングパターンは、単位時間内においては、隣接する周波数を用いないことを特徴とする無線通信システム。
【請求項７】
請求項１〜３のいずれか１項において、
端末局同士の音声およびデータの通信時に、集中制御局は、単位時間内において隣接する周波数を用いないホッピングパターンを優先的に割り当てることを特徴とする無線通信システム。
【請求項８】
少なくとも１つの外線と少なくとも１つの内線をデジタル無線を介して収容することが可能な回線制御装置と、この回線制御装置と無線で接続され回線を介しての通信が可能であるとともに、無線により端末間の通信が可能な内線端末と、前記回線制御装置と無線で接続されるとともに、端末間でデータを送受信可能なデータ端末とを有する通信システムにおいて、
前記回線制御装置は、使用可能な外線の回線制御装置を認識する認識手段と、内線端末の種別を認識する認識手段と、認識した使用可能な回線数に応じて、各回線毎に所定のホッピングパターンを割り当てる手段を有することを特徴とする無線通信システム。
【請求項９】
請求項８において、
前記回線制御装置は、システム全体で使用する周波数を決定する決定手段と、前記基本ホッピングパターンを用いて内線端末に制御データを送信する制御データ送信手段と、前記基本ホッピングパターンを基に回線制御装置と内線端末間で使用するホッピングパターンを割り当てる割り当て手段と、内線端末同士の通信で使用するホッピングパターンを割り当てる割り当て手段とを有することを特徴とする無線通信システム。
【請求項１０】
請求項８または９において、
前記内線端末は、前記基本ホッピングパターンを用いて回線制御装置に制御データを送信する制御データ送信手段と、前記基本ホッピングパターンを用いて回線制御装置からの制御データを受信する制御データ受信手段と、自端末の種別を回線制御装置に送信する送信手段と、前記回線制御装置からのホッピングパターンの割り当てに応じて回線制御装置および内線端末との通信を行う通信手段とを有することを特徴とする無線通信システム。
【請求項１１】
請求項８〜１０のいずれか１項において、
回線制御装置による回線制御装置毎のホッピングパターンの割り当ては、所定の複数のホッピングパターンの中から通信開始時に割り当てることを特徴とする無線通信システム。
【請求項１２】
請求項８〜１０のいずれか１項において、
回線制御装置による回線制御装置毎のホッピングパターンは、単位時間内においては隣接する周波数を用いないことを特徴とする無線通信システム。
【請求項１３】
ホッピングパターンの割り当てを行う無線通信装置において、
外線の回線数のホッピングパターンを確保しておき、内線通信を行う場合には、上記外線用に確保しているホッピングパターン以外のホッピングパターンを割り当てることを特徴とする無線通信装置。
【発明の詳細な説明】
【０００１】
【発明の属する技術分野】
本発明は、無線を利用した通信ネットワークに関し、特に公衆回線への接続機能を有する無線通信システムに関する。
【０００２】
【従来の技術】
近年、デジタル無線通信方式の中で特に注目されているのがスペクトラム拡散通信である。スペクトラム拡散通信は伝送する情報を広い帯域に拡散することで、妨害除去能力が高く、秘話性に優れたものとして知られている。世界各国で、２．４ＧＨｚ帯の周波数がスペクトラム拡散通信のために割り当てられ、全世界で普及が進もうとしている。
【０００３】
そして、スペクトラム拡散通信方式としては、大きく分けて周波数ホッピング（ＦＨ方式）と直接拡散（ＤＳ方式）がある。前者は変調周波数を一定時間以内に変化させることによって、広い帯域を使用した伝送を行うものであり、後者は伝送する情報をその十倍から数百倍の速度の疑似雑音符号で拡散変調することにより広い帯域を使用するものである。現在、ＦＨ方式を用いた１対１の通信を行うシステムが知られている。
【０００４】
【発明が解決しようとする課題】
しかしながら、上記従来例においては、公衆回線との接続を行う上で、以下のような問題点があった。
【０００５】
すなわち、ＦＨ方式を用いた通信システムでは、内線間の通信等により音声データを使用するホッピングパターンが少なくなり、システムで使用可能な回線数以下になった場合に、外線への発信や着信ができなくなる可能性がある。
【０００６】
本発明は、内線間の通信量が増大した場合等においても、外線との発着信を確保できる無線情報通信システムを提供することを目的とする。
【０００７】
【課題を解決するための手段】
本出願の１つ発明は、システム全体の制御を行う集中制御局と、前記集中制御局と無線により接続される端末局とを有する通信システムにおいて、集中制御局にて端末局からの種別情報により使用可能な外線の回線数を認識した場合に、認識した使用可能な回線数に応じて、各回線毎に所定のホッピングパターンを割り当てる手段を有することを特徴とする。
【０００８】
ここで、前記集中制御局は、システム全体で使用する周波数を決定する決定手段と、この決定した周波数に基づいた所定の周波数を用いた基本ホッピングパターンを構成する基本ホッピングパターン構成手段と、前記基本ホッピングパターンを用いて端末局に制御データを送信する制御データ送信手段と、前記基本ホッピングパターンを用いて端末局からの制御データを受信する制御データ受信手段と、前記基本ホッピングパターンを基に集中制御局と端末局との間で使用するホッピングパターンを割り当てる割り当て手段と、端末局同士の通信で使用するホッピングパターンを割り当てる割り当て手段と、端末局からの端末局種別情報を受信する種別情報受信手段とを有し、前記端末局は、前記基本ホッピングパターンを用いて集中制御局に制御データを送信する制御データ送信手段と、前記基本ホッピングパターンを用いて集中制御局からの制御データを受信する制御データ受信手段と、自端末の種別情報を集中制御局に送信する種別情報送信手段と、前記集中制御局からのホッピングパターンの割り当てに応じて集中制御局および端末局との通信を行う通信手段と、少なくとも１つの回線に接続する接続手段とを有する。
【０００９】
また、前記端末局は、集中制御局のからのホッピングパターン割り当て後、端末局同士の通信により公衆網に接続する手段を有する。また、端末局同士で使用するための外線毎のホッピングパターンの割り当ては、所定の複数のホッピングパターンの中から通信開始時に、集中制御局により割り当てる。
【００１０】
また、端末局同士の通信による外線への接続時に、集中制御局より割り当てられる回線毎のホッピングパターンは、単位時間内においては隣接する周波数を用いない。さらに、端末局同士の音声およびデータの通信時に、集中制御局は、単位時間内において隣接する周波数を用いないホッピングパターンを優先的に割り当てる。
【００１１】
また、本出願の他の発明は、少なくとも１つの外線と少なくとも１つの内線をデジタル無線を介して収容することが可能な回線制御装置と、この回線制御装置と無線で接続され回線を介しての通信が可能であるとともに、無線により端末間の通信が可能な内線端末と、前記回線制御装置と無線で接続されるとともに、端末間でデータを送受信可能なデータ端末とを有する通信システムにおいて、前記回線制御装置は、使用可能な外線の回線制御装置を認識する認識手段と、内線端末の種別を認識する認識手段と、認識した使用可能な回線数に応じて、各回線毎に所定のホッピングパターンを割り当てる手段を有することを特徴とする。
【００１２】
ここで、前記回線制御装置は、システム全体で使用する周波数を決定する決定手段と、前記基本ホッピングパターンを用いて内線端末に制御データを送信する制御データ送信手段と、前記基本ホッピングパターンを基に回線制御装置と内線端末間で使用するホッピングパターンを割り当てる割り当て手段と、内線端末同士の通信で使用するホッピングパターンを割り当てる割り当て手段とを有し、前記内線端末は、前記基本ホッピングパターンを用いて回線制御装置に制御データを送信する制御データ送信手段と、前記基本ホッピングパターンを用いて回線制御装置からの制御データを受信する制御データ受信手段と、自端末の種別を回線制御装置に送信する送信手段と、前記回線制御装置からのホッピングパターンの割り当てに応じて回線制御装置および内線端末との通信を行う通信手段とを有する。
【００１３】
また、回線制御装置による回線制御装置毎のホッピングパターンの割り当ては、所定の複数のホッピングパターンの中から通信開始時に割り当てる。また、回線制御装置による回線制御装置毎のホッピングパターンは、単位時間内においては隣接する周波数を用いない。
また、本出願の他の発明は、ホッピングパターンの割り当てを行う無線通信装置において、外線の回線数のホッピングパターンを確保しておき、内線通信を行う場合には、上記外線用に確保しているホッピングパターン以外のホッピングパターンを割り当てることを特徴とする。
【００１４】
【発明の実施の形態および実施例】
まず、本発明の第１の実施例では、集中制御局として、後述する無線アダプタ部を外付けまたは内蔵した無線データ端末１０４を使用するものとする。
（システム構成）
図１は、本実施例の無線通信システムの構成を示す説明図である。
【００１５】
本無線通信システムは、システム内に収容される端末同士の通信を管理、制御する集中制御局と、複数の端末局とから構成され、後述する本無線通信システムの無線フレームを用いて集中制御局から指定された制御データをもとに、通信を行う端末局同士が無線通信を行う。
【００１６】
なお、集中制御局には、システム内の端末局の中から任意の１台（または２台以上）がなることができる。本実施例では、無線データ端末１０４が集中制御局となるものとする。
【００１７】
この無線通信システムは、公衆回線１０２を収容し、システム内の端末局に公衆網通信サービスを提供する網制御装置１０１と、この集中制御局または他の端末局との間で制御データまたは音声データを交換し、公衆回線１０２を介した音声通話を行うとともに、複数の端末局間でいわゆる内線間通話を行う無線電話機１０３と、集中制御局または他の端末局との間での制御データの通信およびデータ通信を行う無線データ端末１０４〜１０９とを有して構成される。
【００１８】
なお、以下の説明において、無線電話機、無線データ端末等の端末局を総称して無線端末１１０（１０４〜１０９の総称番号）というものとする。
【００１９】
また、本実施例において、無線データ端末１０４とは、データをバースト的に送信する機能を有する端末機器（データ端末）もしくはデータ入出力機器と、無線通信を司る無線アダプタを接続したもの、または、それらを一体化した端末機器を指しており、例えば図中に示すコンピュータ１０４、マルチメディア端末１０５、プリンタ１０６、ファクシミリ１０７、複写機１０８、ＬＡＮゲートウエイ１０９の他に、電子カメラ、ビデオカメラ、スキャナ等の機器が該当する。
【００２０】
これらの無線電話機１０３や無線データ端末１０４は、それぞれの端末間で自由に通信を行うことができると同時に、公衆網１０２にもアクセス可能である点が本システムの大きな特徴である。
【００２１】
以下、その詳細構成と動作を説明する。
（１）無線電話機
図２は、無線電話機１０３の構成を示すブロック図である。
【００２２】
主制御部２０１は、無線電話機１０３全体の制御を司るものであり、メモリ２０２は、主制御部２０１の制御プログラムが格納されたＲＯＭ、本無線通信システムの呼出符号（システムＩＤ）、無線電話機のサブＩＤを記憶するＥＥＰＲＯＭ、および、主制御部２０１の制御のためのワークエリアを提供するＲＡＭ等から構成されるものである。
【００２３】
通話路部２０３は、送受話器２０８、マイク２０９、スピーカ２１０の入出力ブロックとＡＤＰＣＭコーデック２０４のインタフェースを行うものである。
【００２４】
ＡＤＰＣＭコーデック２０４は、通話路部２０３からのアナログ音声信号をＡＤＰＣＭ符号に変換するとともに、ＡＤＰＣＭ符号化された情報をアナログ音声信号に変換するものである。
【００２５】
フレーム処理部（チャネルコーデック）２０５は、ＡＤＰＣＭ符号化された情報にスクランブル等の処理を行うとともに、これを所定のフレームに時分割多重化するものである。このフレーム処理部２０５で後述する無線フレームに組み立てられたデータが無線部を介して主装置や目的とする端末局に伝送されることになる。
【００２６】
無線制御部２０６は、無線部２０７の送受信および周波数切り換え、キャリア検出、レベル検知、ビット同期を行う機能を有する。
【００２７】
無線部２０７は、フレーム処理部２０５からのデジタル情報を変調して無線送信可能な形式に変換してアンテナに送るとともに、アンテナより無線受信した情報を復調してデジタル情報に変換するものである。
【００２８】
送受話器２０８は、通話するために音声信号を入出力するものであり、マイク２０９は、音声信号を集音入力するものである。スピーカ２１０は、音声信号を拡声出力するものであり、表示部２１１は、キーマトリクス２１２より入力したダイヤル番号や公衆回線の使用状況等を表示する。キーマトリクス２１２は、ダイヤル番号等を入力するダイヤルキーや、外線キー、保留キー、スピーカキー等の機能キーからなる。
【００２９】
なお、無線電話機１０３の無線制御部２０６とフレーム処理部２０５は、後述するチャネルコーデックボードから構成することができる。
（２）無線アダプタ
図３は、無線データ端末機器１０４〜１０９に接続または内蔵される無線アダプタの内部構成を示すブロック図である。
【００３０】
同図において、３０１は、無線アダプタ３０２と通信ケーブルもしくは内部バスを介して接続される、例えばコンピュータに代表されるデータ端末や、プリンタ、ファクシミリに代表される周辺機器である。
【００３１】
無線アダプタ３０２の無線部３０３は、他の無線アダプタの無線部等と無線信号のやり取りを行うものであり、詳細は後述する。
【００３２】
主制御部３０４は、制御の中枢となるＣＰＵ、割り込み制御およびＤＭＡ制御等を行う周辺デバイス、システムクロック用の発振器等から構成され、無線アダプタ内の各ブロックの制御を行う。
【００３３】
メモリ３０５は、主制御部３０４が使用するプログラムを格納するためのＲＯＭや、各種処理用のバッファ領域として使用するＲＡＭ等から構成される。
【００３４】
通信ｉ／ｆ部３０６は、上述のデータ端末または周辺機器３０１が標準装備する通信ｉ／ｆ、例えば、ＲＳ２３２Ｃ、セントロニクス、ＬＡＮ等の通信ｉ／ｆや、パーソナルコンピュータ、ワークステーションの内部バス、例えば、ＩＳＡバス、ＰＣＭＣＩＡｉ／ｆ等を使用して無線アダプタ３０２が通信を行うための制御を司るものである。
【００３５】
タイマ部３０７は、無線アダプタ内部の各ブロックが使用するタイミング情報を提供する。チャネルコーデック部３０８は、図１１に示すような無線フレームの組み立て、分解を行うだけでなく、ＣＲＣに代表される簡易的な誤り検出処理、スクランブル処理、無線部３０３の制御等を行う。
【００３６】
無線制御部３０９は、無線部３０３の送受信の切り換え、周波数切り換え等を制御し、また、キャリア検出、レベル検出、ビット同期を行う機能を有する。
【００３７】
誤り訂正処理部３１０は、様々な無線環境により通信データ中に発生するビットまたはバイト誤りを検出もしくは訂正するものであり、送信時には、通信データ中に誤り訂正符号を挿入してデータに冗長性をもたせるとともに、受信時には、演算処理により誤り位置並びに誤りパターンを算出することで、受信データ中に発生したビット誤りを訂正する。
【００３８】
なお、このような無線アダプタ３０２において、通信ｉ／ｆ部３０６は、後述するＰＣボードから構成することができ、チャネルコーデック部３０８および無線制御部３０９は、後述するチャネルコーデックボードから構成することができる。
（３）網制御装置
図４は、網制御装置１０１の内部構成を示すブロック図である。
【００３９】
主制御部４０１は、網制御装置１０１の全体制御を司るものであり、メモリ４０２は、プログラムや本無線通信システムの呼出符号（システムＩＤ）等を格納するＲＯＭ、主制御部４０１の制御のための各種データを記憶するとともに各種演算用にワークエリアを提供するＲＡＭ等から構成されるメモリである。
【００４０】
回線ｉ／ｆ部４０３は、公衆網回線１０２を収容するための給電、選択コマンド送信、直流ループ閉結、ＰＣＭ変換等の公衆網回線制御、選択コマンド受信、呼出コマンド送出を行うインタフェース部である。
【００４１】
ＡＤＰＣＭコーデック部４０４は、公衆網１０２を介して回線ｉ／ｆ部４０３が受信したアナログ音声信号をＡＤＰＣＭ符号に変換し、チャネルコーデック部４０５に転送するとともに、チャネルコーデック部４０５からのＡＤＰＣＭ符号化された音声信号をアナログ音声信号に変換するものである。
【００４２】
チャネルコーデック部４０５は、ＡＤＰＣＭ符号化された情報について、スクランブル等の処理を行うとともに、所定のフレームに時分割多重化するものであり、このチャネルコーデック部４０５で、後述する無線フレームに組み立てられたデータが無線部を介して制御局や目的とする無線端末１１０へ伝送されることになる。
【００４３】
無線制御部４０６は、無線部４０７の送受信の切り替え、周波数切り替え等を制御し、また、キャリア検出、レベル検知、ビット同期を行う機能も有する。
【００４４】
無線部４０７は、チャネルコーデック部４０５からのフレーム化された情報を変調して無線送信可能な形式に変換してアンテナに送るとともに、アンテナより無線受信した情報を復調してデジタル情報に処理するものである。検出部４０８は、着信検出、ループ検出、ＰＢ信号、発信音、着信音等の各種トーンを検出するものである。
【００４５】
なお、このような網制御装置１０１において、回線ｉ／ｆ部４０３とＡＤＰＣＭコーデック部４０４は、後述するＰＳＴＮボードから構成することができ、チャネルコーデック部４０５と無線制御部４０６は、チャネルコーデックボードから構成することができる。
（４）無線部
図５は、本システムの無線端末１１０で共通の構成を有する無線部を示すブロック図である。
【００４６】
送受信用アンテナ５０１ａ、５０１ｂは、無線信号を効率よく送受信するためのものであり、切り換えスイッチ５０２は、アンテナ５０１ａ、５０１ｂを切り換えるものである。バンド・パス・フィルタ（以下、ＢＰＦという）５０３は、不要な帯域の信号を除去するためのものであり、切り換えスイッチ５０４は、送受信を切り換えるものである。
【００４７】
アンプ５０５は、受信系のアンプであり、アンプ５０６は、送信系のパワーコントロール付アンプである。コンバータ５０７は、１ｓｔ．ＩＦ用のダウンコンバータであり、コンバータ５０８は、アップコンバータである。
【００４８】
切り換えスイッチ５０９は、送受信を切り換えるものであり、ＢＰＦ５１０は、ダウンコンバータ５０７によりコンバートされた信号から不要な帯域の信号を除去するためのものである。コンバータ５１１は、２ｎｄ．ＩＦ用のダウンコンバータであり、２つのダウンコンバータ５０７、５１１により、ダブルコンヴァージョン方式の受信形態を構成する。
【００４９】
ＢＰＦ５１２は、２ｎｄ．ＩＦ用であり、９０度移相器５１３は、ＢＰＦ５１２の出力位相を９０度移相するものである。クオドラチャ検波器５１４は、ＢＰＦ５１２、９０度移相器５１３により受信した信号の検波、復調を行うものである。さらに、コンパレータ５１５は、クオドラチャ検波器５１４の出力を波形整形するためのものである。
【００５０】
また、電圧制御型発振器（以下、ＶＣＯという）５１６と、ロー・パス・フィルタ（以下、ＬＰＦという）５１７と、プログラマブルカウンタ、プリスケーラ、および位相比較器等から構成されるＰＬＬ５１８とによって、受信系の周波数シンセサイザが構成される。
【００５１】
また、キャリア信号生成用のＶＣＯ５１９と、ＬＰＦ５２０と、プログラマブルカウンタ、プリスケーラ、および位相比較器等から構成されるＰＬＬ５２１とによって、ホッピング用の周波数シンセサイザが構成される。
【００５２】
また、変調機能を有する送信系のＶＣＯ５２２と、ＬＰＦ５２３と、プログラマブルカウンタ、プリスケーラ、および位相比較器等から構成されるＰＬＬ５２４とによって、周波数変調の機能を有する送信系の周波数シンセサイザが構成される。
【００５３】
基準クロック発振器５２５は、各種ＰＬＬ５１８、５２１、５２４用の基準クロックを供給するものであり、ベースバンドフィルタ５２６は、送信データ（ベースバンド信号）の帯域制限用フィルタである。
【００５４】
（無線フレームの動作）
図６は、本実施例の無線通信システムで用いるフレーム内部のチャネル構成例を示す説明図である。
【００５５】
同図において、ＣＮＴはシステム制御チャネルを示し、ＬＣＣＨは論理制御チャネルを示し、２つある音声チャネルを用いて双方向で音声データをやり取りし、ＥＮＤは次のフレームで周波数ホッピングするために周波数を変更するためのガード時間を示す。図示のように、本システムで用いるフレームでは、フレーム内部が、ＣＮＴ、ＬＣＣＨ、２つの音声チャネル、データチャネル、ＥＮＤの６つのチャネルから構成されている。
【００５６】
図７は、各チャネルの内部構成例を示す説明図である。
【００５７】
まず、ＣＳは１２．８ｕｓｅｃ分のキャリアセンス時間、ＰＲはビット同期捕捉のための５６ビットのプリアンブル、ＳＹＮは１ダミービット＋ＲＣＲで規定する３１ビットフレーム同期信号、ＩＤはＲＣＲで規定する６３ビットの呼び出し信号＋１ダミービット、ＵＷは２４ビットのユニークワード（バイト同期の捕捉用）、ＢＦは８ビットの基本フレーム番号情報（１〜２０をサイクル）、ＷＡはスリープモードの端末のうち、起動させる端末局のシステムアドレスを記入するフィールド、ＮＦは次のフレームで使用する周波数情報、Ｒｅｖは隣接セルとの区別のためにエリア番号、ＧＴはガードタイム、ＣＳ０、ＣＳ１、ＣＳ２はキャリアセンス時間、ＤＡはシステムアドレスを記入するフィールド、システム制御チャネルのＣＲＣはＢＦ〜Ｒｅｖに対するＣＲＣ情報、論理制御チャネルのＣＲＣはデータに対するＣＲＣ情報、音声チャネルのＣＲＣはＴ／Ｒに対するＣＲＣ情報、ＣＦは周波数切り替え用のガードタイム、Ｔ／Ｒは３２ｋｂｐｓのＢチャネル情報を示す。なお、同図中の数字は、ビット数を表し、各部の長さの一例を示している。
【００５８】
ＣＮＴチャネルは集中制御局が毎フレームの開始時に送信し、集中制御局以外の局は、ビット同期とフレーム同期を確立するため、必ずＣＮＴチャネルを受信する。ＬＣＣＨチャネルは、端末局の初期登録時、回線接続や回線切断、回線接続に先だって集中制御局とホッピングパターンの割り当て要求をやり取りしたり、回線切断時に集中制御局とホッピングパターンの割り当て解除をやり取りするとき等に使用する。回線の接続や切断は、ＬＣＣＨチャネル内に設けたＤＡフィールドに通信を希望する相手のシステムアドレスを記入し、直接相手とやり取りする。
【００５９】
音声チャネルは、２つある内の一方を送信で使用し、もう一方を受信とすることで音声通話を実現する。２つあるうちのどちらを送信で使用するかは回線接続時にやり取りするＬＣＣＨチャネルで相手と打ち合わせを行うことで決定する。データチャネルは回線接続時にやり取りするＬＣＣＨチャネルで相手と打ち合わせを行うことで、どのようにデータ伝送を行うかを決定する。
【００６０】
（周波数ホッピング）
図８は、本実施例における周波数ホッピングの一例を示す説明図である。ここではシステム全体で２つの回線を有し、端末局から発着信が行えるものとする。図８に示すように、各々のホッピングパターン（以下、ＨＰという）は、同一のベースフレーム（以下、ＢＦという）では同じ周波数を使用せず、必ず異なる周波数を使用する。また、１ベースフレーム中には図６で示したフレームが１つ存在し、フレーム毎、すなわちベースフレームが終了する毎に各ＨＰは決められた順番で周波数を変更する。
【００６１】
集中制御局がシステム制御チャネルを送信するホッピングパターンを図８の第１のＨＰとする。すなわち、ＢＦ１のときＦ２、ＢＦ２のときＦ３、ＢＦ３のときＦ４・・・という具合に周波数を各々のＢＦで変更する。
【００６２】
図８では、ＢＦを８フレームをもち、Ｆ１からＦ８までの８つの周波数を使用するシステムを例にしている。各ＢＦで、第１のＨＰ、第２のＨＰ、第３のＨＰがどの周波数を使用するかを示している。
【００６３】
図８において、第１のＨＰは、網制御装置の回線１を用いての端末間の通信を行う場合に使用されるホッピングパターンであり、第２のＨＰは、網制御装置を用いての回線への発着信処理を行わない端末間の通信を行う場合に使用されるホッピングパターンである。さらに、第３のＨＰは、網制御装置の回線２を用いての端末間の通信を行う場合に使用されるホッピングパターンである。
【００６４】
回線１を用いて発信または着信が行われた場合、集中制御局は、図８で示すＢＦ１で（Ｆ１、Ｆ２、Ｆ３）のいずれかの周波数を用いるホッピングパターンを使用するように割り当てを行う。同様に、回線１を用いて発信または着信が行われたことを集中制御局が検出すると、ＢＦ１で（Ｆ５、Ｆ６、Ｆ７）のいずれかの周波数を用いるホッピングパターンを使用するように割り当てを行う。
【００６５】
端末局間での音声による通話が行われることを集中制御局が検出すると、使用されている回線の状態を監視し、まず、ＢＦ１で（Ｆ４、Ｆ８）のいずれかの周波数を用いるホッピングパターンを使用するように割り当てを行う。
【００６６】
本実施例のように、ＢＦ１ではＦ４を用いている端末局間での音声による通話が複数あった場合にも、ＢＦ１で（Ｆ１、Ｆ２、Ｆ３）およびＢＦ１で（Ｆ５、Ｆ６、Ｆ７）のいずれかの周波数を用いるホッピングパターンを全て使用せず、それぞれＦ１〜Ｆ３、Ｆ５〜Ｆ７のうちの１つのホッピングパターンについては使用しないで、回線のために空けておく。また、例えばＢＦ１ではＦ２を回線により使用され、Ｆ１、Ｆ３以外の周波数も全て使用されている場合は、内線間の通信を行う場合でも、ＢＦ１でＦ１、Ｆ３を用いたＨＰを使用してもよい。
【００６７】
図９は、音声チャネルにおける周波数ホッピングと送受信状態の一例を示す説明図である。
【００６８】
端末Ａは、本実施例の網制御装置であり、端末Ｂ、Ｃ、Ｄは、本実施例における無線電話機である。そして、図８に示す第１のＨＰで端末Ａと端末Ｂが通信を行い、第２のＨＰで端末Ｃと端末Ｄが通信を行っている様子を示している。また、２つあるうちの最初の音声チャネルでは端末Ａと端末Ｃが送信を行い、２つ目の音声チャネルでは端末Ｂと端末Ｄが送信を行う。
【００６９】
論理制御チャネルが終了すると、音声通信中の端末は、システム制御チャネルにより割り当てられた周波数ホッピングパターンにしたがって、現在のベースフレーム番号から変更すべき周波数を無線部にセットする。また、予め通信相手との間で、どちらが第１の音声チャネルで送信するかといった通信制御情報をやり取りしておき、その通信制御情報に基づいて無線部の送受信を制御する。図９の場合、端末Ａと端末Ｃが最初の音声チャネルで送信を行っている。
【００７０】
ＢＦ１のときを説明する。論理制御チャネルにより使用するホッピングパターンの割り当てが終了すると、端末Ａと端末Ｃはそれぞれの音声通信に割り当てられた周波数ホッピングパターンにしたがって周波数を変更する。周波数を変更した結果、端末Ａと端末Ｂは第１のＨＰが割り当てられているため、周波数は変化しなかったが、端末Ｃと端末Ｄは周波数をＦ４に変更した。端末Ａと端末Ｃは無線部を送信にセットし、端末Ｂと端末Ｄは無線部を受信にセットし、最初の音声チャネルで音声データをやり取りする。
【００７１】
音声チャネル終了時に端末Ａと端末Ｃは無線部を受信にセットし、端末Ｂと端末Ｄは無線部を送信にセットし、２つ目の音声チャネルで音声データをやり取りする。２つ目の音声チャネル終了時に、次のデータ通信に備えて、各端末は無線部にデータ通信に割り当てられた周波数ホッピングパターンと現在のベースフレームを番号からもとまる周波数を無線部にセットする。
【００７２】
データチャネル終了後、ＥＮＤの間に、次のＢＦ２でシステム制御チャネルを受信するため、周波数を第１のＨＰでＢＦ２で使用する周波数であるＦ２を無線部にセットする。ベースフレームがＢＦ２になってからの周波数ホッピングの手順は、上記手順を繰り返す。
【００７３】
次に、図１０は、各チャネルでの周波数の使用状況を示す説明図である。
【００７４】
集中制御局以外の全無線端末１１０は、図１０に示すように、ＢＦ１で、集中制御局が送信しているシステム制御チャネルを受信するために、第１のＨＰがＢＦ１で使用する周波数Ｆ２を無線部にセットする。集中制御局以外の全無線端末１１０は、ここで受信したシステム制御チャネルでフレーム同期を取る。
【００７５】
通信の接続要求や切断要求をやり取りする論理制御チャネルは、システム制御チャネルと同じ周波数でやり取りされる。論理制御チャネルで送信すべき回線接続や回線切断といった制御データを有する端末は、直接相手に論理制御チャネルを用いて制御データを送信する。また、論理制御チャネルで送信すべきデータを有さない端末は、他の端末が論理制御チャネルで送信している制御データを必ず受信する。そして、受信した結果、自端末宛の制御データでなければ、受信した制御データを破棄する。
【００７６】
音声またはデータ通信を行う無線端末１１０は、音声チャネルとデータチャネルにおいて、予め集中制御局から割り当てを受けたＨＰに対応する周波数に変え通信を行う。このとき、集中制御局からの割り当て状況によっては、システム制御チャネルと論理制御チャネルと同じＨＰが割り当てられることもある。図１０に示す例は、システム制御チャネルと論理制御チャネルの第１のＨＰに対して、端末ＣＤ間の音声通信に第２のＨＰが割り当てられ、端末ＣＤ間のデータ通信に第３のＨＰが割り当てられた例を示す。この例の場合、１フレーム中に３回周波数を変更することになる。
【００７７】
（ＣＨＣ部の構成と動作説明）
ＣＨＣ部は大きく分けて、所定のフレームフォーマットにデータを組み立てたり、フレームを分解するチャネルコーデック、変調／復調を行う無線部、音声のデジタル符号化／復号化を行うＡＤＰＣＭコーデックから構成される。
【００７８】
図１１は、ＣＨＣ部の内部構成を示すブロック図である。同図において、チャネルコーデック１１０１は、音声入出力部（ヘッドセット、ハンドセット、マイク、スピーカ等）１１０２を接続したＡＤＰＣＭコーデック１１０３と、無線部１１２９との間に設けられている。
【００７９】
そして、チャネルコーデック１１０１は、ＣＰＵデータバス１１０４が接続されるＣＰＵバスインターフェイス１１０５と、ＡＤＰＣＭコーデック１１０３に接続されるＡＤＰＣＭインターフェイス１１０６と、動作モードを設定するモードレジスタ１１０７と、ホッピングパターンレジスタ１１０８と、フレーム番号／次周波数番号（ＢＦ／ＮＦ）レジスタ１１０９と、システムＩＤレジスタ１１１０と、間欠起動端末アドレスレジスタ１１１１と、ＬＣＣＨレジスタ１１１２と、ＦＩＦＯバッファ１１１３とを有する。
【００８０】
また、タイミング生成部１１１４と、ＣＮＴチャネル組立／分解部１１１５と、ＬＣＣＨ（論理制御チャネル）組立／分解部１１１６と、データ組立／分解部１１１７と、音声組立／分解部１１１８と、フレーム同期部１１１９と、ユニークワード検出部１１２０と、ＣＲＣ符号化／復号化部１１２１と、ビット同期部１１２２と、無線制御部１１２３と、間欠受信制御部１１２４と、スクランブル／デスクランブル１１２５と、無線部１１２９からのアナログ受信信号をデジタル信号に変換するＡＤコンバータ１１２６と、ＡＤコンバータ１１２６からの入力に基づいて受信レベルを検出し、割り込み信号１１２８を出力する受信レベル検出部１１２７とを有する。
【００８１】
以下、同図に従ってＣＨＣ部の動作の説明を行う。
【００８２】
ＣＨＣ部の動作タイミングの基準は、集中制御局側チャネルコーデック１１０１のタイミング生成部１１１４で生成される。集中制御局側では、このタイミングに従ってフレームの送信を行い、フレームを受信した端末局では、フレーム同期ワードに従ってフレーム同期を保持する。
【００８３】
集中制御局側からＣＮＴチャネルで送られるデータは、チャネルコーデック１１０１内部のレジスタに格納されている。チャネルコーデック１１０１内部にはＨＰ（ホッピングパターン）レジスタ１１０８、ＩＤレジスタ１１１０、ＷＡ（起動端末アドレス）レジスタ１１１１があり、集中制御局ではＣＰＵがこれらのレジスタに必要な値を書き込む。また、動作タイミングに同期して、フレーム番号／次フレーム周波数番号（ＢＦ／ＮＦ）レジスタ１１０９内部の値は更新される。ＮＦレジスタに書き込まれる周波数番号は、ＣＮＴチャネルのホッピングパターン（第一のホッピングパターン）となっている。チャネルコーデック１１０１は、ＣＮＴチャネルのデータを送信するタイミングでこれらのレジスタ内のデータを読み出し、ＣＮＴ組み立て部１１１５でデータの組み立てを行って無線部１１２９にデータを送る。
【００８４】
一方、端末局においては、無線部１１２９からＣＮＴチャネルでデータを受信すると、ＣＮＴ分解部１１１５で分解を行い、受信した各部の値を使って処理を行う。受信したシステムＩＤが自局のＩＤレジスタ１１１０に書き込まれた値と一致した場合のみ、それ以降のデータを受信するように制御する。受信したＷＡが間欠受信中に自局のＷＡレジスタ１１１１の値と一致した場合には、起動要求割り込みを発生する。さらに、受信したＢＦ、ＮＦ情報データを利用してホッピングパターンレジスタ１１０８のテーブルを書き換える。
【００８５】
なお、ＮＦフィールドにかかれる周波数番号は、ＣＮＴチャネルのホッピングパターンのものであるので、音声チャネル、データチャネルで使用するホッピングパターンは、ＮＦフィールドにかかれた周波数番号に基づいて作成されるホッピングパターンレジスタを時間シフトすることによって生成する構成となっている。
【００８６】
ＬＣＣＨチャネルでは、送信機側端末１１０のＣＰＵがチャネルコーデック１１０１内部のＬＣＣＨレジスタ１１１２に格納したデータがＬＣＣＨ組立／分解部１１１６で組み立てられ、所定のタイミングで無線部に送出される。受信したＬＣＣＨデータは、ＬＣＣＨ組立／分解部１１１６で分解し、チャネルコーデック内部のＬＣＣＨレジスタ１１１２に一旦格納された後、ＣＰＵに対して割り込みを発生し、ＣＰＵが読み取る。
【００８７】
音声チャネルでは、音声入出力部１１０２から入力された音声がＡＤＰＣＭコーデック１１０３でデジタル符号化された後、ＡＤＰＣＭインターフェイス１１０６を介してチャネルコーデック１１０１に取り込まれる。チャネルコーデック１１０１においては、音声組立／分解部１１１８において入力されたデータを組み立て、所定のタイミングで無線部１１２９に送出する。
【００８８】
逆に、無線部から受信した音声データは、音声組立／分解部１１１８において分解され、ＡＤＰＣＭインターフェイス１１０６を介してＡＤＰＣＭコーデック１１０３のタイミングで出力され、音声入出力部１１０２に出力される。
【００８９】
データチャネルでは、ＣＰＵがデータ送信要求を行った場合のみデータが送信される。データ送信要求が行われている場合、チャネルコーデックのＣＰＵバスインタフェース１１０５は１バイトごとのタイミングでＤＭＡリクエストを出力する。ＤＭＡリクエストにＤＭＡコントローラが応じてデータが書き込まれると、データ組立／分解部１１１７においてデータをシリアルに変換して所定のタイミングで無線部に送出する。
【００９０】
逆に、データを受信した場合には、データ組立／分解部１１１７においてデータをパラレルに変換して１バイトごとにＤＭＡリクエストを出力し、ＤＭＡコントローラは受信データをメモリに転送する。１フレーム分のデータの転送を終了すると、ＣＰＵに対して割り込みを発生する。
【００９１】
データ送信時には、必要に応じてＣＲＣ符号生成部１１２１でＣＲＣ符号を生成し、ＣＲＣフィールドに格納して送信する。受信側では、ＣＲＣのチェックを行い、誤りの発生を検出することができる。また、フレーム同期ワード、ユニークワード以外の全ての送信データにはスクランブラ１１２５においてスクランブルがかけられる。これは無線部に送られるデータの不平衡性を下げるとともに、同期クロック抽出を容易にするためである。
【００９２】
逆にデータ受信時には、ユニークワードを検出すると、そのタイミングでデスクランブラ１１２５においてデスクランブルを行い、ＣＲＣチェックを行うと同時に、各フィールドの分解部にデータを入力する。
【００９３】
以上のようにして、所定のフレームに従った音声、データの無線伝送を行うものである。
【００９４】
（集中制御局の動作）
本無線通信システムが動作するためには、集中制御局がシステム内のホッピング周波数を管理し、端末局はホッピングパターンとタイムスロットで決められる通信チャネルを集中制御局から割り当てられることを前提としている。
【００９５】
集中制御局は、各通信チャネルの管理の他に、システムのＨＰの変更や端末局の間欠受信状態管理、端末局のシステム登録等の機能を有するが、ここでは端末局間の通信を行うための基本である通信チャネルの管理とＨＰ変更の必要が生じた際の集中制御局の動作に関して述べる。集中制御局での通信チャネルの管理は、端末局から要求される通信のデータ種別（音声もしくはデータ）に対して未使用のＨＰを割り当て、解放を行うことである。
【００９６】
まず始めに、通信チャネルの管理に関して述べる。
【００９７】
図１２は、ＨＰ割り当てシーケンスを示す説明図である。この図は、端末局が特定の通信相手局と通信を行うために集中制御局にＨＰを要求するところから、通信が終了し、ＨＰを解放するまでのシーケンスを示している。
【００９８】
端末局は、特定の通信相手局と通信を開始するためにＨＰ割り当て要求１２０１を集中制御局に送る。ＨＰ割り当て要求１２０１には、通信相手局のＩＤやデータ種別等のパラメータが含まれる。集中制御局では、要求されたデータ種別で未使用のＨＰが存在すれば、ＨＰ割り当て１２０２を端末局に送る。
【００９９】
端末局は、割り当てられたＨＰを通信相手局に送り接続要求を行う。そして、通信相手局から接続許可が得られれば、端末局は接続完了通知１２０３を集中制御局に送る。
【０１００】
集中制御局は、端末局の接続完了通知１２０３のパラメータにより割り当てたＨＰの使用状況を確認して管理し、接続完了確認１２０４を端末局に送る。接続完了確認１２０４を受けた端末局は、以降、通信相手局と割り当てられたＨＰで通信を行なう。
【０１０１】
通信が終了すると、端末局は、通信相手局との接続を切断した後、ＨＰ開放要求１２０５を集中制御局に送る。集中制御局は、割り当てたＨＰの使用状況を変更し、ＨＰ解放確認１２０６を端末局に送る。端末局は、ＨＰ解放確認１２０６を受けて通信の終了とする。
【０１０２】
図１３は、集中制御局におけるＨＰ割り当てを示すフローチャートである。この図は、端末局がＨＰを要求してから通信が始まるまでに、集中制御局側で行なわれる処理に関して記述している。
【０１０３】
集中制御局は、端末局からＨＰ割り当て要求を受けると（Ｓ１３０１）、この要求が回線への接続を要求しているかどうかを判断する（Ｓ１３０２）。そして、この判断の結果、データ種別が回線への接続要求であった場合、所定の複数のＨＰの中から最適なＨＰを１つ選択して割り当てを行う（Ｓ１３０３）。
【０１０４】
また、Ｓ１３０２で回線への接続要求でないと判断すると、要求されたデータ種類の未使用ＨＰが存在するか否か（Ｓ１３１０）をＨＰテーブルで確認する。そして、未使用ＨＰが存在しなければ、端末局に対して未使用ＨＰ無しの通知（Ｓ１３１１）を行なう。また、未使用ＨＰが存在すれば、空いているＨＰの中から通信に必要なＨＰの選択を行い、ＨＰテーブルに仮登録（Ｓ１３０４）を行ない、端末局にＨＰ仮割り当て（Ｓ１３０５）を行なう。
【０１０５】
集中制御局は、端末局からの接続完了通知を受けると（Ｓ１３０６）、仮割り当てを行なったＨＰで、端末局が通信相手局と接続に成功したか否か（Ｓ１３０７）を確認し、接続が成功していなければ、仮割り当てのＨＰをＨＰテーブルに未使用登録し（Ｓ１３１２）、接続が成功していれば、仮割り当てのＨＰをＨＰテーブルに使用登録する（Ｓ１３０８）。集中制御局は、ＨＰテーブルに使用状況を登録終了後、端末局に対して接続完了確認を送り（Ｓ１３０９）、要求のあったＨＰ割り当てを終了する。
【０１０６】
図１４は、集中制御局におけるＨＰ解放を示すフローチャートである。この図は、端末局で通信が終了した後、割り当てられたＨＰを解放する手順で、集中制御局側で行なわれる処理に関して記述している。
【０１０７】
集中制御局は、端末局からＨＰ解放要求を受け取ると（Ｓ１４０１）、そのパラメータに含まれる端末ＩＤや解放要求のＨＰを確認する（Ｓ１４０２）。
そして、解放要求のＨＰが正常に割り当てられたＨＰでなければ、エラー通知（Ｓ１４０４）により端末局に通知し、ＨＰの解放を行わない。また、解放要求のＨＰが正常に確認できれば、ＨＰテーブルに未使用登録（Ｓ１４０３）を行い端末局に対してＨＰ解放確認（Ｓ１４０５）を送る。
【０１０８】
このようにして、本システムでは集中制御局がシステムに固有のＨＰテーブルを有し、各端末局間で行われる通信の通信チャネルの割り当ては集中制御局がＨＰを割り当てることにより実現し、集中制御局がシステム内の全通信の管理を行っている。
【０１０９】
次に、ＨＰ変更を行なう際の集中制御局の動作に関して説明を行なう。
【０１１０】
これは、ＨＰ通のある周波数が狭帯域の妨害等の障害により使用不能となった場合に、使用不能の周波数を未使用の周波数と交換し、ＨＰを変更して障害を回避する機能である。ＨＰの変更は、端末局から変更要求が来る場合と集中制御局が直接行なう場合の２通りがある。これらの要求に対し、集中制御局は、ホッピング周波数のテーブルを変更し、１フレーム毎に送出するシステム制御チャネル中のＮＦ（Ｎｅｘｔ  Ｆｒｅｑｕｅｎｃｙ）を用いて各端末局に対してシステムのＨＰ変更通知を行なう。
【０１１１】
図１５は、集中制御局におけるＨＰ変更を示すフローチャートである。
【０１１２】
集中制御局は、端末局からＨＰ変更要求を受けると、ＨＰ変更の必要性を確認する（Ｓ１５０１）。そして、必要性が認められない場合には、ＨＰの変更を行なわない。また、ＨＰ変更の必要性があれば、代替ＨＰが存在するかどうか判断する（Ｓ１５０２）。そして、代替ＨＰが存在しなければ、ＨＰの変更を行なわない。また、代替ＨＰが存在すれば、ホッピング周波数のテーブルを変更し、システム制御チャネル中のＮＦを変更して各端末局に通知する（Ｓ１５０３）。
【０１１３】
集中制御局で直接ＨＰ変更を行なう場合は、代替ＨＰの有無を確認する（Ｓ１５０２）。そして、代替ＨＰが存在しない場合には、ＨＰの変更を行なわない。また、代替ＨＰが存在すれば、ホッピング周波数のテーブルを変更し、システム制御チャネル中のＮＦを変更して各端末局に通知する（Ｓ１５０３）。
【０１１４】
このようにして、本システムでは、集中制御局が端末局からの要求もしくは集中制御局自身の要求により、ＨＰの変更を管理して行なう。
【０１１５】
以下、本システムの具体的動作を幾つかの場合に分けて動作説明する。
【０１１６】
１．電源立ち上げ時の処理
（１）電源立ち上げ時の制御局および端末局のシーケンス
図１６は、本システムにおける電源投入時の制御局および端末局の動作を示すシーケンスである。
【０１１７】
Ｓ１６０１で電源立ち上げが行なわれ、端末の初期化が行われると、端末は自機が集中制御局であるか端末局であるかを判断し、集中制御局であることを認識すると、ホッピングパターンを決定し、同期信号、ＩＤホッピングパターン情報、自分のエリア番号等をフレームに組み立て、所定のタイミング毎にＣＮＴフレームとして出力を行う。
【０１１８】
同様に、端末立ち上げ後、自端末が端末局であることを認識すると、自端末のアドレスおよび受信する制御局のエリア番号の記憶を行う。この処理が終了すると、制御局からのＣＮＴフレームを任意の周波数で待つ。集中制御局からのＣＮＴフレームを受信すると、エリア番号を基にして、このフレーム中のＮＦＲを基に次の単位時間にホップする周波数を取得する。端末局は、受信した周波数を基に受信周波数を変え、次のＣＮＴフレームを待つ。端末局では、この処理を繰り返し、集中制御局で使用しているホッピングパターンを認識して、これを記憶する。
【０１１９】
端末局においてホッピングパターンの記憶が終了すると、Ｓ１６０２で端末局よりＬＣＣＨフレームを用いて端末局に新たに端末局として加わることを通知する。このときＬＣＣＨフレームのＤＡに全ての端末が受信するグローバルアドレスをいれ、また、データ部には新規の登録を行うことを示すデータをいれて送信する。
【０１２０】
集中制御局では、ＬＣＣＨフレームを受信し、その中のＤＡにグローバルアドレスがあると、データ部のデータを受信し、端末局のアドレスおよび登録要求信号があった場合は、この情報を基にして端末局アドレスを記憶し、新規に登録する。
【０１２１】
この登録が終了すると、Ｓ１６０３で集中制御局は新規登録した端末局に対して、集中制御局のアドレスをＬＣＣＨフレームを用いて通知する。端末局ではＬＣＣＨフレームにより制御局のアドレスを受信すると、制御局のアドレスを記憶し、この処理が終了後、Ｓ１６０４で集中制御局に対してＬＣＣＨフレームを用いて立ち上げ完了通知を行う。集中制御局で端末局からの立ち上げ完了通知を受信すると、通常の処理へと移行する。
【０１２２】
端末局では、立ち上げ完了通知を出力後に、Ｓ１６０５において端末局からの発信が可能となる。
【０１２３】
（２）集中制御局における電源立て上げ時の動作
図１７は、集中制御局における電源投入時の動作を示すフローチャートである。
【０１２４】
Ｓ１７０１で端末の電源がＯＮされると、Ｓ１７０２で端末の初期化が行われ動作状態となる。この処理の結果、Ｓ１７０３で端末が集中制御局であることを認識すると、Ｓ１７０４で自端末のＩＤ情報、アドレス情報およびエリア情報を記憶するための処理を行う。なお、エリア情報および端末アドレス情報を入力する手段としては立ち上げ時にＤＩＰスイッチ等で設定しておいた値を記憶する場合や、電話機等のダイヤルキーにより入力された値を記憶する場合や、コンピュータ等のキーボードで入力された値をバスを介して受け取り記憶することが考えられる。
【０１２５】
そして、このアドレス情報を受信すると、Ｓ１７０５で入力された値が有効であるか否を判断し、有効でない場合は、Ｓ１７０４で再度アドレス情報を記憶する処理を行う。
【０１２６】
また、Ｓ１７０５で記憶されたアドレスが有効であることを確認すると、Ｓ１７０６で使用するホッピングパターンを決定するための処理を行う。このとき集中制御局は、使用可能な周波数全てをキャリアセンスし、その中のもっとも電波状態の良い周波数を所定の数選びホッピングパターンとする。
【０１２７】
Ｓ１７０７でホッピングパターンを獲得した結果、使用可能な周波数が所定の数以下であった場合は、Ｓ１７１１で所定の時間キャリアセンスを行ったかを検出する。そして、所定の時間行っていない場合は、Ｓ１７０６でホッピングパターンを決定するための処理を続ける。Ｓ１７１１で所定の時間経過したことを検出すると、Ｓ１７１２で集中制御局においてホッピングパターンを決定できなかったことを画面表示や音により通知する。
【０１２８】
この処理後、Ｓ１７１３で再びホッピングパターンを決定する要求がある場合は、Ｓ１７０６でホッピングパターンを決定するための処理を行う。Ｓ１７１３で再試行の要求がない場合は、Ｓ１７１２でホッピングパターンを決定不可能であることを通知する。
【０１２９】
Ｓ１７０７で所定のホッピングパターンを獲得できた場合、Ｓ１７０８でＣＮＴフレームを組み立てるための処理を行う。ＣＮＴフレームは同期信号ＩＤ、エリア番号、周波数情報を含んだフレームである。
【０１３０】
このＣＮＴフレームの組立が終了すると、Ｓ１７０９で決定したホッピングパターンのうちの１つの周波数を用いてＣＮＴフレームを送信する処理を行い、Ｓ１７１０で決定したＨＰを基に、周波数を変えながらＣＮＴフレームを送信する通常の処理へと移行する。
【０１３１】
（２）集中制御局における新規端末登録時の動作
図１８は、集中制御局における端末局新規登録時の動作を示すフローチャートである。
【０１３２】
Ｓ１８０１で通常の処理中に、Ｓ１８０２で集中制御局がＬＣＣＨフレームを受信し、ＤＡに自端末または全端末宛のアドレスが入っていた場合、受信したＬＣＣＨフレーム中の制御データを取り出し命令を実行する。
【０１３３】
Ｓ１８０３で受信した制御データが端末局からの登録要求であることを確認すると、Ｓ１８０４で登録要求とともに送信される端末局アドレスの確認処理を行う。端末局アドレス確認の結果、Ｓ１８０５で端末局アドレスが正常であることを検出すると、Ｓ１８０６で集中制御局において端末局アドレスを登録するための処理を行い、アドレス情報を記憶する。
【０１３４】
また、Ｓ１８０５で端末局アドレスが正常でないことを検出すると、Ｓ１８１０でＬＣＣＨフレームで受信した登録要求を廃棄するための処理を行い、再びＳ１８０１で通常の処理を行う。
【０１３５】
Ｓ１８０６で端末局の登録が終了すると、Ｓ１８０７でＬＣＣＨフレームを用いて集中制御局のアドレスをＤＡＴＡ部に入れ、また、ＤＡに端末局のアドレスを入れて登録が完了した端末局に送信する。
【０１３６】
Ｓ１８０７で集中制御局アドレスを送信後、Ｓ１８０８で登録完了した端末局からのＬＣＣＨフレームを用いた立ち上げ完了通知信号を確認できない場合は、Ｓ１８１１で所定時間が経過したかを検出する。そして、所定時間経過しない場合は、Ｓ１８０８で端末局からのＬＣＣＨフレームを用いての立ち上げ完了通知を待つ。
【０１３７】
また、Ｓ１８１１で端末局への集中制御局アドレス通知後、所定時間経過した場合は、Ｓ１８０７で端末局に対して再びＬＣＣＨフレームを用いた集中制御局アドレスを通知するための処理を行う。Ｓ１８０８で端末局からの立ち上げ完了通知信号を検出した場合は、Ｓ１８０９で端末局の新規登録完了処理を行い通常処理へと移行する。
【０１３８】
（３）端末局における電源投入時の動作
図１９は、端末局における電源投入時の動作を示すフローチャートである。
【０１３９】
Ｓ１９０１で端末の電源が投入されると、Ｓ１９０２で端末の初期化が行われ動作状態となる。この処理の結果、Ｓ１９０３で端末が端末局であることを認識すると、Ｓ１９０４で自端末のアドレス情報およびエリア情報を記憶するための処理を行う。なお、端末局、集中制御局の判定手段、エリア情報および端末アドレス情報を入力する手段としては、立ち上げ時にＤＩＰスイッチ等で設定しておいた値を記憶する場合や、電話機等のダイヤルキーにより入力された値を記憶する場合や、コンピュータ等のキーボードで入力された値をバスを介して受け取り記憶することが考えられる。
【０１４０】
そして、アドレス情報を読み取ると、Ｓ１９０５で入力された値が有効であるかを判断し、有効でない場合は、Ｓ１９０４で再度アドレス情報を記憶する処理を行う。
【０１４１】
また、Ｓ１９０５で記憶されたアドレスが有効であることを確認すると、Ｓ１９０６で使用するホッピングパターンを獲得するための処理を行う。
【０１４２】
Ｓ１９０６では、集中制御局からのＣＮＴフレームを受信するため、任意の周波数で受信待機状態に移る。その周波数で集中制御局からのＣＮＴフレームを受信できたならば、ＣＮＴフレーム中のＲｅｖ部からエリア番号を認識し、自端末に記憶されているエリア番号と比較を行う。
【０１４３】
エリア番号が一致していた場合には、ＣＮＴフレーム中のＮＦＲ部から次の単位時間にホッピングする周波数を取得し、端末局は、受信周波数をその周波数ヘ移動し、次のＣＮＴフレームを待つ。端末局は、この動作を繰り返し、自分の所属する集中制御局を認識するとともに、周波数のホッピングパターンを認識してこれを記憶する。
【０１４４】
Ｓ１９０６でのホッピングパターン獲得処理の結果、Ｓ１９０７でホッピングパターンを獲得できなかった場合には、Ｓ１９１３で使用者に対しホッピングパターンが獲得できなかった旨の通知を警告音や画面表示を用いて使用者に行い、Ｓ１９０６でホッピングパターンを獲得するための処理を行う。
【０１４５】
Ｓ１９０７でホッピングパターンを獲得したことを検出すると、Ｓ１９０８でＬＣＣＨフレームを用いて端末局のアドレスを集中制御局に通知するための処理を行う。ここでは、ＬＣＣＨフレームを用いて、このフレーム中のＤＡに全端末が受信するグローバルアドレスを書き込み、ＤＡＴＡ部には登録要求および自端末アドレスをのせて制御端末に送信する。
【０１４６】
この信号送信後、端末局はＳ１９０９で獲得したホッピングパターンに従い周波数を変化させながらＬＣＣＨフレームを受信する。そして、Ｓ１９１０で受信したＬＣＣＨフレーム中のＤＡに自端末と同一のアドレスを確認できない場合には、Ｓ１９１４で自端末アドレス送信後、所定時間が経過したかを監視する。
【０１４７】
ここで所定時間が経過していない場合は、集中制御局からのＬＣＣＨフレームでの集中制御局アドレスを受信するための処理を続ける。また、Ｓ１９１４で所定時間経過したことを検出すると、Ｓ１９０８でＬＣＣＨフレームを用いて再び制御端末に対して自端末アドレスを通知するための処理を行う。
【０１４８】
Ｓ１９１０で集中制御局からのＬＣＣＨフレーム中のＤＡに自端末アドレスを検出するとともに、ＤＡＴＡ部に登録を示すデータを確認した場合、Ｓ１９１１で集中制御局に対してＬＣＣＨフレームのＤＡに集中制御局のアドレス、ＤＡＴＡ部に立ち上げ完了を示す信号をのせて、ＬＣＣＨフレームを送信する。この信号の出力が終了すると、Ｓ１９１２で間欠受信処理へと移行する。
【０１４９】
２．無線端末からの外線発信時の処理
図２０は、本実施例の外線発信シーケンスを示す説明図である。また、図２１は、本実施例における外線発信時の網制御装置１０１の動作を示すフローチャートであり、図２２は、本実施例における外線発信時の無線端末１１０の動作を示すフローチャートである。
【０１５０】
無線端末１１０において、配置された発信キー押下、あるいはオフフック等とダイヤルの組み合わせによる発信操作をすると（Ｓ２２０１のＹＥＳ）、無線端末１１０は、無線通信に必要なＨＰ（ホッピングパターン）を取得するため、集中制御局に対してＨＰ取得要求（２００１）を送信する（Ｓ２２０２）。このＨＰ取得要求には、無線通信の種別（音声／データ／回線接続の有無／接続する回線情報）をパラメータとして付け、本動作では、音声／回線接続の有無／接続する回線情報をパラメータとする。
【０１５１】
集中制御局では、ＨＰ取得要求を受け取ると、種別により異なるＨＰを選択し、ＨＰ通知（２００２）によって無線端末１１０に通知する。無線端末１１０では、ＨＰ通知を受信すると（Ｓ２２０３）、ＨＰを記憶し、そのＨＰを使用して網制御装置１０１に対して接続要求（２００３）を送信する（Ｓ２２０４）。
【０１５２】
網制御装置１０１では、接続要求を受信すると（Ｓ２１０１のＹＥＳ）、無線回線の状態を調べ、接続可能状態であれば、接続確認（２００４）を送信する（Ｓ２１０２）。接続確認を受信すると（Ｓ２２０５）、無線端末１１０では、無線回線のリンク確立が許可されたと認識し、音声チャネルに同期を取り、外線発信（２００６）を網制御装置１０１に送信し（Ｓ２２０６）、音声通話路を接続し、通話中となる（Ｓ２２０７）。この外線発信には、相手先のダイヤルがパラメータとして乗せられており、無線端末１１０と網制御装置１０１の間の無線リンク上を図６に示す無線フレームのＬＣＣＨで送信する。
【０１５３】
外線発信（２００６）を受信した網制御装置１０１は、外線発信が可能かどうか判断する。公衆網回線が開いており、発信可能であれば、公衆網１０２を捕捉する（Ｓ２１０４）。そして、捕捉した後、公衆網１０２からのダイヤルトーン（２００７）を検出すると、外線発信で無線端末１１０から来たダイヤル（２００８、２００９）を公衆網１０２に送信し始める（Ｓ２１０５）。
【０１５４】
そして、全桁を送信し、ダイヤル送信が終了すると（Ｓ２１０６）、公衆網１０２との通話路を接続し通話中となる（Ｓ２１０８）。公衆網１０２がダイヤルを受信し、相手を呼び出すと、公衆網１０２からはリングバックトーン（２０１０）が送信されて来るので、無線端末１１０で聴取することができる。相手が応答すると、リングバックトーンが停止し、通話中となる（２０１１）。
【０１５５】
通話が終了し、無線端末１１０で切断操作（例えばオンフック）をすると（Ｓ２２０８）、オンフック（２０１２）が送出される（Ｓ２２０９）。このオンフックは、網制御装置１０１で受信され（Ｓ２１０９）、網制御装置１０１は、公衆網１０２を切断し（Ｓ２１１１）、切断確認（２０１３）を無線端末１１０に送信する（Ｓ２１１１）。
【０１５６】
切断確認を受信した無線端末１１０は、通話路を解放し（Ｓ２２１０）、集中制御局に対して無線回線を解放するために、ＨＰ解放要求（２０１４）を送信する（Ｓ２２１１）。集中制御局では、ＨＰ解放要求を正常に受信し、ＨＰの解放処理をすると、ＨＰ解放（２０１５）を送信する。無線端末１１０では、ＨＰ解放を受信したら（Ｓ２２１２）、処理を終了する。
【０１５７】
以上が外線発信時の網制御装置１０１と無線端末１１０の動作であるが、たとえば、ダイヤルが外線発信で一活して送信されるのではなく、外線発信の後、分割されて網制御装置１０１に送信されるようにしてもよい。また、無線端末１１０が、連続して外線発信する場合では、最後のＨＰ解放要求を送信せず、同じＨＰを連続して使ってもよい。
【０１５８】
３．無線端末への外線着信時の処理
［網制御装置の動作］
図２３は、本実施例における外線着信シーケンスを示す説明図であり、図２４は、本実施例における外線着信時の網制御装置１０１の動作を示すフローチャートである。
【０１５９】
まず、Ｓ２４０１で公衆網１０２より着信（２３０１）があると、Ｓ２４０２に進んで、網制御装置１０１は集中制御局に対して、これから通話に使用するＨＰの要求（２３０２）をする。前記ＨＰの要求を受信した集中制御局は、自己の管理するＨＰテーブルから現在使用されていないＨＰを選択し、網制御装置１０１に対してそのＨＰを通知（２３０３）し、網制御装置１０１は、Ｓ２４０３にてＨＰ情報を受信する。
【０１６０】
次に、Ｓ２４０４に進み、網制御装置１０１は無線端末１１０Ａ、Ｂに２３０４の外線着信信号を送信する。
【０１６１】
無線端末１１０（Ａ）がオフフックし、網制御装置１０１がＳ２４０５でオフフック信号（２３０５）を受信したら、Ｓ２４０６に進んで、オフフック信号を送信した無線端末１１０（Ａ）に対して、外線通話用に使用するＨＰ等の情報を載せた接続要求信号２３０６を送信する。
【０１６２】
Ｓ２４０７で接続確認信号２３０７を受信したら、Ｓ２４０８に進み、集中制御局に対しては無線端末１１０との接続が完了（２３０８）したことを通知し、また、Ｓ２４０９にて無線端末１１０（Ａ）に通話中表示信号２３０９を送信するとともに、Ｓ２４１０に進み、その他の無線端末１１０（ここでは無線端末１１０（Ｂ））に対して外線着信中止信号２３１０を発信する。そして、Ｓ２４１１において無線端末１１０（Ａ）を公衆網１０２に接続して通話を開始する。
【０１６３】
さらに、網制御装置１０１は、Ｓ２４１２で無線１１０（Ａ）よリオンフック信号２３１１を受け取るまで公衆網１０２との接続を続ける。オンフック信号２３１１を着信したらＳ２４１３に進み、回線切断信号２３１２を送信して公衆網１０２と無線端末１１０（Ａ）の接続を中止する。さらに、Ｓ２４１４においては、その他の無線端末１１０（Ｂ）に外線使用中表示中止信号２３１３を送信する。
【０１６４】
最後に網制御装置１０１は、Ｓ２４１５において集中制御局に対して前記通話で使用していたＨＰの解放を要求する信号（２３１４）を送信し、集中制御局ではＨＰ管理テーブルを更新してＨＰの解放されたことを網制御装置１０１に通知（Ｓ２４１６、２３１５）する。
【０１６５】
［無線端末の動作］
図２５は、本実施例における外線着信時の無線端末１１０の動作を示すフローチャートである。
【０１６６】
まず、Ｓ２５０１で網制御装置１０１より外線着信信号２３０４を受け取ると、無線端末１１０は着信音等を鳴らし、Ｓ２５０２においてオフフックされたかどうかを検知する。ここで、無線端末１１０（Ａ）においてオフフックされたら、Ｓ２５０３に進んでオフフック信号２３０５を網制御装置１０１に送信する。そして、Ｓ２５０４で網制御装置１０１よりＨＰ等の情報を含む接続要求信号２３０６を受信できたら、Ｓ２５０５で接続確認信号２３０７を返信する。
【０１６７】
Ｓ２５０６で網制御装置１０１より通話中表示信号２３０９が来たら、無線端末１１０（Ａ）は、表示部２１２に通話中表示をし、Ｓ２５０７で通話を開始する。さらに、Ｓ２５０８においてオンフックがされるまで通話を続け、オンフックがされると、Ｓ２５０９に進み、オンフック信号２３１１を網制御装置１０１に送信する。そして、Ｓ２５１０において回線切断信号２３１２が来たら、回線を切断し表示部２１２の通話中表示を消して通話を終了する。
【０１６８】
また、Ｓ２５１１において、無線端末１１０がオフフックされないうちに、他の無線端末１１０（Ａ）が通話を開始したために、無線端末１１０（Ｂ）に対して外線着信中止信号２３１０が来た場合には、無線端末１１０（Ｂ）はＳ２５１２に進み、無線端末１１０の表示部２１２に外線使用中表示をする。
【０１６９】
さらに、無線端末１１０（Ｂ）は、Ｓ２５１３において外線使用中表示中止信号２３１３が来るまで、表示部２１２に外線使用中表示を続け、前記信号が来たら、Ｓ２５１４において外線使用中表示を消す。
【０１７０】
４．内線間通話の処理
次に、２台の端末局で内線間通話（音声通信）をする場合を想定し、発呼側の無線電話機と着呼側の無線電話機の各々の動作について説明を行う（２台の無線電話機１０３で内線通話する場合で、発呼側を１０３−Ａ、着呼側を１０３−Ｂとする）。
【０１７１】
図２６は、集中制御局、端末局Ａ（発呼側）、端末局Ｂ（着呼側）の制御データのシーケンスを示す説明図であり、図２７は、集中制御局の処理の概要を示すフローチャートである。また、図２８は、発呼側端末局ρ処理の概要を示すフロ―チャートであり、図２９は、着呼側端末局の処理の概要を示すフローチャートである。ただし、各図は、主に本発明に関係する処理の部分を示している。
【０１７２】
無線電話機１０３−Ａにおいて、キーマトリックス２１１に配置された内線キーを押下すると（Ｓ２８０１）、無線電話機１０３−Ａは、ＨＰ取得要求信号（２６０１）を集中制御局のＨＰでＬＣＣＨを用いて送信する（Ｓ２８０２）。
【０１７３】
集中制御局は、信号を受信したと判断し（Ｓ２７０１）、その信号がＨＰ取得要求だと判断すると（Ｓ２７０２）、システムで有する回線数以上のＨＰがあるかどうか確認する（Ｓ２７０５）。あれば要求に対して隣接する周波数が使用されていないＨＰを優先的に確保し（Ｓ２７０６）、そのＨＰを通知する（Ｓ２７０７）。このとき、隣接する周波数が使用されていないＨＰがない場合は、隣接する周波数の片方でも空いているＨＰを使用する。また、このようなＨＰもない場合は、隣接する周波数が全て使用されているＨＰを使用する。
【０１７４】
無線電話機１０３−Ａは、ＨＰ通知（２６０２）を受信したと判断すると（Ｓ２８０３）、通信できるとし、ダイヤルトーン（ＤＴ）を無線電話機自身から使用者に聞かす（Ｓ２８０４）。また、集中制御局がＳ２７０５でリソースがないと判断した場合には、集中制御局は、通信不可通知を行い（Ｓ２７０８）、その旨を受けた無線電話機１０３−Ａは、使用者に通信できない旨を音や表示等で知らせる（Ｓ２８１８）。
【０１７５】
ダイヤルトーンを聞いた無線電話機１０３−Ａの使用者は、発呼先である無線電話機１０３−Ｂを表す情報（アドレス）をキーマトリックス２１１から入力する（ダイヤルトーン停止）。そして、相手が指定されるのを待ち（Ｓ２８１９）、無線電話機１０３−Ａは、集中制御局のＨＰでＬＣＣＨを用いて無線電話機１０３−Ｂに接続要求（２６０３）を送信する（Ｓ２８０５）。その際に、先に集中制御局から受けたＨＰの情報も通知する。
【０１７６】
無線電話機１０３−Ｂは、集中制御局のＨＰで受信を待っており、接続要求を受信すると（Ｓ２９０１）、要求信号を送信した相手（発呼側）に対して、接続確認（２６０４）を集中制御局のＨＰでＬＣＣＨを用いて送信する（Ｓ２９０２）。この後は、無線電話機１０３−Ｂは、無線電話機１０３−Ａから通知されたＨＰを用いて通信するようＨＰを切り替える。
【０１７７】
無線電話機１０３−Ａは、接続確認を受信すると（Ｓ２８０６）、集中制御局に接続完了信号（２６０５）を集中制御局のＨＰでＬＣＣＨを用いて送信し（Ｓ２８０７）、集中制御局は内線間で無線リンクが確立したことを知る。
【０１７８】
内線間で無線リンクが確立すると、無線電話機１０３−Ａは、ＨＰを集中制御局から通知されたＨＰに切り替えて、呼設定（２６０６）信号を無線電話機１０３−Ｂに対して送信する。この信号も無線電話機１０３−Ｂのアドレスを付けて送信し（Ｓ２８０８）、スピーカ２１０からリングバックトーン（ＲＢＴ）を使用者に聞かし、呼出中であることを知らせる（Ｓ２８２０）。
【０１７９】
着呼側の無線電話番号情報１０３−Ｂは、呼設定を受信すると（Ｓ２９０３）、スピーカ２１０からの音（着信音）や表示部２１２に着信を知らせる表示を行い（Ｓ２９０４）、無線電話機１０３−Ｂの使用者に応答を促す。
【０１８０】
無線電話機１０３−Ｂの使用者がキーマトリックス２１１で応答操作をすると（Ｓ２９０５）、無線電話機１０３−Ｂは、その応答（２６０７）を無線電話番号情報１０３−Ａのアドレスを付けて送信する（Ｓ２９０６）。この時点で無線電話番号情報１０３−Ｂは、通話状態になり（Ｓ２９０７）、着信の通知を止めて、スピーカ２１０とマイク２０９をオンし、通話準備をする。なお、ここで表示部２１２に発呼者の無線電話機１０３−Ａのアドレスを表示してもよい。
【０１８１】
一方、無線電話機１０３−Ａは、無線電話機１０３−Ｂからの応答（２６０７）を受信すると（Ｓ２８０９）、リングバックトーンを止めて、スピーカ２１０、マイク２０９をオンにし、通話中になる（Ｓ２８１０）。
【０１８２】
無線電話機１０３−Ａは、使用者がオンフック等の通話終了の操作をするか、もしくは、無線電話機１０３−Ｂから解放を受信したかを監視し（Ｓ２８１１）、また、無線電話機１０３−Ｂも、使用者がオンフック等の通話終了の操作をするか、もしくは、無線電語機１０３−Ａから切断を受信したかを監視する（Ｓ２９０８）。
【０１８３】
無線電話機１０３−Ａの使用者が通話終了の操作を行うと、無線電話機１０３−Ａは、切断（２６０８）を送信し（Ｓ２８１２）、マイク２０９、スピーカ２１０をオフにする。無線電話機１０３−Ｂは切断を受信すると、マイク２０９をオフにして、スピーカ２１０は相手からの音声の出力を止め、かわりにビジートーンを出力して相手が通話を切ったことを知らせ（Ｓ２９０９）、使用者に無線電話機１０３−Ｂもオフフックすることを促す。無線電話機１０３−Ｂの使用者がオフフック操作をするのを待って（Ｓ２９１０）、無線電話機１０３−Ｂは解放（２６０９）を送信し（Ｓ２９１１）、通話を終了する。
【０１８４】
無線電話機１０３−Ａは、解放を受信すると（Ｓ２８１３）、通話が完全に終了したものとし、次に無線リンクを切るため解放要求（２６１０）を送信する（Ｓ２８１４）。
【０１８５】
無線電話機１０３−Ｂは、解放要求（２６１０）を受信すると（Ｓ２９１２）、解放確認（２６１１）を送信し（Ｓ２９１３）、電波の送信を止め無線リンクを切る。
【０１８６】
無線電話機１０３−Ａは、解放確認（２６１１）を受信すると（Ｓ２８１５）、ＨＰを集中制御局のＨＰに切り替えて、集中制御局に使用していたＨＰの解放要求（２６１２）を送信し（Ｓ２８１６）、集中制御局は、解放要求を受信したと判断（Ｓ２７０３）すると、そのＨＰを解放し、無線電話機１０３−ＡにＨＰ解放通知（２６１３）を送信する（Ｓ２７０４）。無線電話機１０３−Ａは、ＨＰ解放通知を受けて（Ｓ２８１７）、無線リンクを切り、電波の送受信を停止して通信を終了する。
【０１８７】
以上の手順により内線間の直接通話を実現することができる。
【０１８８】
５．無線端末間のデータ通信処理
図３０は、本実施例におけるデータ通信シーケンスを示す説明図である。また、図３１は、本実施例におけるデータ通信における接続時の無線端末１１０の動作を示すフローチャートであり、図３２は、本実施例における通信端末のデータ送信の動作を示すフローチャートである。さらに、図３３は、本実施例における通信端末のデータ受信の動作を示すフローチャートであり、図３４は、本実施例におけるデータ通信における切断時の無線端末１１０の動作を示すフローチャートである。
【０１８９】
無線端末１１０の発信端末局において、データ送信を行うための送信操作が行われると（Ｓ３１０１）、集中制御局にＨＰ取得要求３００１を送信する（Ｓ３１０２）。集中制御局からＨＰ通知３００２が来たら（Ｓ３１０３）、着信端末局に対して接続要求３００３を送信し、隣接する周波数を用いないＨＰを優先的に通知する（Ｓ３１０４）。このとき、隣接する周波数が使用されていないＨＰがない場合は、隣接する周波数の片方でも空いているＨＰを使用する。また、このようなＨＰもない場合は、隣接する周波数が全て使用されているＨＰを使用する。
【０１９０】
着信端末局より接続確認３００４が来たら（Ｓ３１０５）、集中制御局に接続完了３００５を送信し、呼接続を終了する（Ｓ３１０６）。そして、呼接続が終了するとデータ通信が行われる。本実施例では、発信端末局からのデータ送信について説明する。
【０１９１】
発信端末局は、通信が開始されると、まず送信カウンタを０リセットする（Ｓ３２０１）。次いで、無線側より再送要求があるかどうかを調べ（Ｓ３２０２）、なかったら、次に端末からデータの送信要求があるかどうかを調べる（Ｓ３２０７）。
【０１９２】
そして、送信要求があったら、要求されたデータ番号を送信カウンタに入れ（Ｓ３２０８）、送信カウンタにある番号のデータ３００６を送信する（Ｓ３２０９）。ここで、もし再送要求３００７が来たら、再送されたデータ番号を指定し（Ｓ３２０３）、指定された番号のデータを送信する（Ｓ３２０４）。
【０１９３】
また、指定されたデータの番号が送信カウンタのデータより小さい場合（Ｓ３２０５）、次の番号のデータを指定し（Ｓ３２０６）、指定されたデータを送信する（Ｓ３２０４）。そして、指定されたデータの番号が送信カウンタの番号と一致したら（Ｓ３２０６）、通常の送信状態に戻る。また、端末より切断要求がきたら（Ｓ３２１０）送信を終了する。
【０１９４】
着信端末局は、通信が開始されると、まず受信カウンタを０リセットする（Ｓ３３０１）。そして、データが受信されると（Ｓ３３０２）、データが壊れていないかを調べる（Ｓ３３０３）。データが壊れていなかったら、つぎにデータ番号を調べ（Ｓ３３０４）、データ番号が受信カウンタの番号の次の番号であるかを調べる（Ｓ３３０５）。
【０１９５】
ここで、データが正しく順番に受信されていたら、データを端末に送り（Ｓ３３０７）、受信カウンタにそのデータ番号を入れる（Ｓ３３０８）。また、データが壊れていたり、データの抜けがあり順番通りに受信できなかった場合、再送要求３００７を送信する（Ｓ３３０６）。また、無線機側より切断要求が来たら（Ｓ３３０９）、受信を終了する。
【０１９６】
発信端末局は、端末より切断要求が来て切断フェーズに入ると（Ｓ３４０１）、着信端末局に回線切断通知３００８を送信し（Ｓ３４０２）、回線切断確認３００９が来たら（Ｓ３４０３）、集中制御局に使用していたＨＰを解放するために、ＨＰ解放３０１０を送信する（Ｓ３４０４）。ＨＰ解放確認３０１１が来たら切断を終了する（Ｓ３４０５）。
【０１９７】
次に、本発明の第２実施例として、集中制御局が網制御装置を兼ねる場合について説明する。
【０１９８】
１．無線端末からの外線発信時の処理
図３５は、本実施例における外線発信シーケンスを示す説明図であり、図３６は、本実施例における外線発信時の集中制御局（網制御装置）１０１の動作を示すフローチャートである。また、図３７は、本実施例における外線発信時の無線端末１１０の動作を示すフローチャートである。
【０１９９】
無線端末１１０において、配置された発信キー押下あるいはオフフック等のダイヤルの組み合わせによる回線への発信操作をすると（Ｓ３７０１のＹＥＳ）、無線端末１１０は、無線通信に必要なＨＰ（ホッピングパターン）を取得するため、集中制御局（網制御装置）に対して接続要求（ＨＰ取得要求）（３５０１）を送信する（Ｓ３７０２）。
【０２００】
この接続要求には、ＨＰの取得要求、無線通信の種別（音声／データ／回線接続の有無／接続する回線情報）をパラメータとして付ける。なお、本動作では、予め集中制御局が網制御装置であることが分かっているため、ＨＰの取得要求、音声／接続する回線情報をパラメータとする。集中制御局（網制御装置）では、接続要求（ＨＰ取得要求）を受けると、無線回線の状態を調べ、接続可能状態であれば、回線への発着信または内線間の通信により異なるＨＰを選択し、接続確認（ＨＰ通知）（３５０２）によって無線端末１１０にＨＰを通知する（Ｓ３６０２）。
【０２０１】
無線端末１１０では、接続確認を受信し、接続確認によりＨＰ通知を受信すると（Ｓ３７０３）、ＨＰを記憶し、無線回線のリンク確立が許可されたと認識し、音声チャネルに同期を取り、外線発信（３５０５）を集中制御局（網制御装置）１０１に送信し（Ｓ３７０４）、音声通話路を接続し、通話中となる（Ｓ３７０６）。この外線発信には、相手先のダイヤルがパラメータとして乗せられており、無線端末１１０と集中制御局（網制御装置）１０１の間の無線リンク上を図６に示す無線フレームのＬＣＣＨで送信される。
【０２０２】
外線発信（３５０３）を受信した集中制御局（網制御装置）１０１は、外線発信が可能かどうか判断する。ここで公衆網回線が空いており、発信可能であれば、公衆網１０２を捕捉する（Ｓ３６０４）。そして、この捕捉後、公衆網１０２からのダイヤルトーン（３５０４）を検出すると、外線発信で無線端末１１０から来たダイヤル（３５０５、３５０６）を公衆網１０２に送信し始める（Ｓ３６０５）。
【０２０３】
そして、全桁を送信し、ダイヤル送信が終了すると（Ｓ３６０６）、公衆網１０２との通話路を接続し通話中となる（Ｓ３６０８）。公衆網１０２がダイヤルを受信し、相手を呼び出すと、公衆網１０２からはリングバックトーン（３５０７）が送信されて来るので、無線端末１１０で聴取することができる。相手が応答すると、リングバックトーンが停止し、通話中となる（３５０８）。
【０２０４】
そして、通話が終了し、無線端末１１０で切断操作（例えばオンフック）をすると（Ｓ３７０６）、オンフック（ＨＰ開放要求）（３５０９）が送出される（Ｓ３７０７）。オンフック（ＨＰ開放要求）は、集中制御局（網制御装置）１０１で受信され（Ｓ３６０９）、集中制御局（網制御装置）１０１は、公衆網１０２を切断し、無線端末１１０に割り当てていたＨＰを解放し（Ｓ３６１１）、切断確認（３５１０）を無線端末１１０に送信する（Ｓ３６１１）、切断確認を受信した無線端末１１０は、通話路を解放して処理を終了する。
【０２０５】
以上が外線発信時の集中制御局（網制御装置）１０１と無線端末１１０の動作であるが、たとえば、ダイヤルが外線発信で一括して送信されるのではなく、外線発信の後、分割されて集中制御局（網制御装置）１０１に送信されるようにしても、本発明になんら影響を与えるものではない。また、無線端末１１０が、連続して外線発信する場合では、最後のＨＰ開放要求を送信せず、同じＨＰを連続して使ってもよい。
【０２０６】
２．無線端末への外線着信時の処理
［集中制御局（網制御装置）の動作］
図３８は、本実施例における外線着信シーケンスを示す説明図であり、図３９は、本実施例における外線着信時の集中制御局（網制御装置）１０１の動作を示すフローチャートである。
【０２０７】
まず、Ｓ３９０１で公衆網１０２より着信（３８０１）があると、Ｓ３９０２に進んで、集中制御局（網制御装置）１０１は自己の管理するＨＰテーブルから着信のあった回線に応じて使用するＨＰを決定し、使用するＨＰ情報を載せ、外線着信信号（３８０１）を無線端末１１０−Ａ、Ｂに送信する。
【０２０８】
無線端末１１０−Ａがオフフックし、集中制御局（網制御装置）１０１がＳ３９０３でオフフック信号（３８０２）を受信したら、Ｓ３９０４に進んで、オフフック信号を送信した無線端末１１０−Ａに対し、外線通話を行うための情報を載せた接続要求信号３８０３を送信する。
【０２０９】
Ｓ３９０５で接続確認信号３８０４を受信したら、Ｓ３９０６にて無線端末１１０−Ａに通話中表示信号３８０５を送信するとともに、Ｓ３９０７に進み、その他の無線端末１１０（ここでは無線端末１１０−Ｂ）に対して外線着信中止信号３８０６を発信する。そして、Ｓ３９０８において無線端末１１０−Ａを公衆網１０２に接続し、通話を開始する。
【０２１０】
さらに、集中制御局（網制御装置）１０１は、Ｓ３９０９で無線端末１１０−Ａよりオンフック信号３８０７を受け取るまで公衆網１０２との接続を続ける。オンフック信号３８０７を着信したら、Ｓ３９１０に進み、回線切断信号（ＨＰ開放要求）３８０８を送信して公衆網１０２と無線端末１１０−Ａの接続を中止するとともに、ＨＰ管理テーブルを更新して無線端末１１０−Ａ間の通信で使用していたＨＰの解放を行う。
【０２１１】
さらに、Ｓ３９１１においては、その他の無線端末１１０−Ｂに外線使用中表示中止信号３８１３を送信する。
【０２１２】
［無線端末の動作］
図４０は、本実施例における外線着信時の無線端末１１０の動作を示すフローチャートである。
【０２１３】
Ｓ４００１において、集中制御局（網制御装置）１０１より外線着信信号（ＨＰ通知）３８０１を受け、ＨＰ情報を確認すると、無線端末１１０は、着信音などを鳴らし、Ｓ４００２において、オフフックされたかを検知する。そして、無線端末１１０−Ａにおいてオフフックされたら、Ｓ４００３に進んで、オフフック信号３８０２を集中制御局（網制御装置）１０１に送信する。
【０２１４】
次に、Ｓ４００４で、集中制御局（網制御装置）１０１より回線への接続情報を含む接続要求信号３８０３を受信できたなら、Ｓ４００５で、接続確認信号３８０４を返信する。Ｓ４００６で、集中制御局（網制御装置）１０１より通話中表示信号３８０５が来たら、無線端末１１０−Ａは、表示部２１２に通話中表示をし、Ｓ４００７で通話を開始する。
【０２１５】
さらに、Ｓ４００８において、オンフックがされるまで通話を続け、オンフックがされると、Ｓ４００９に進みオンフック信号（ＨＰ開放要求）３８０７を集中制御局（網制御装置）１０１に送信する。Ｓ４０１０において、回線切断信号（ＨＰ解放）３８０８が来たら、ＨＰを解放して回線を切断し、表示部２１２の通話中表示を消して通話を終了する。
【０２１６】
Ｓ４０１１において、無線端末１１０がオフフックされないうちに、他の無線端末１１０−Ａが通話を開始したために、無線端末１１０−Ｂに対して外線着信中止信号３８０９が来た場合には、無線端末１１０−Ｂは、Ｓ４０１２に進み、無線端末１１０の表示部２１２に外線使用中表示をする。
【０２１７】
さらに、無線端末１１０−Ｂは、Ｓ４０１３において外線使用中表示中止信号３８０９が来るまで表示部２１２に外線使用中表示を続け、前記信号が来たらＳ４０１４において外線使用中表示を消す。
【０２１８】
【発明の効果】
以上説明したように、本発明によれば、システムで使用する回線数に応じて、ホッピングパターンを予め確保しておくことにより、内線端末間の通信量が増大した時にも、常に回線からの発着信は可能になり、より効率的なシステムを提供できる効果がある。
【０２１９】
また、回線との通信および内線間の通信を行うときに、隣接する周波数を使用するホッピングパターンを極力使用しないようにすることで、より高品質のシステムを提供できる効果がある。
【図面の簡単な説明】
【図１】本発明の一実施例におけるシステム構成を示す説明図である。
【図２】上記実施例の無線電話機の内部構成を示すブロック図である。
【図３】上記実施例の無線アダプタの内部構成を示すブロック図である。
【図４】上記実施例の網制御装置の内部構成を示すブロック図である。
【図５】上記実施例の無線部の内部構成を示すブロック図である。
【図６】上記実施例で用いるフレーム内部の構成を示す説明図である。
【図７】上記実施例で用いる各チャネル内部の構成を示す説明図である。
【図８】上記実施例で用いる周波数ホッピングの一例を示す説明図である。
【図９】上記実施例で用いる音声チャネルのホッピングと送受信状態の一例を示す説明図である。
【図１０】上記実施例で用いる各チャネルでの周波数の使用状況を示す説明図である。
【図１１】上記実施例のチャネルコーデックボードを示すブロック図である。
【図１２】上記実施例のＨＰ割り当てシーケンスを示す説明図である。
【図１３】上記実施例のＨＰ割り当て動作を示すフローチャートである。
【図１４】上記実施例のＨＰ解放動作を示すフローチャートである。
【図１５】上記実施例のＨＰ変更動作を示すフローチャートである。
【図１６】上記実施例の集中制御局および端末局間の電源投入シーケンスを示す説明図である。
【図１７】上記実施例の集中制御局における電源投入時の動作を示すフローチャートである。
【図１８】上記実施例の集中制御局における端末局新規登録時の動作を示すフローチャートである。
【図１９】上記実施例の端末局における電源投入時の動作を示すフローチャートである。
【図２０】本発明の第１実施例の外線発信時におけるシーケンスを示す説明図である。
【図２１】上記第１実施例の外線発信時における網制御装置の動作を示すフローチャートである。
【図２２】上記第１実施例の外線発信時における無線端末装置の動作を示すフローチャートである。
【図２３】上記第１実施例の外線着信時におけるシーケンスを示す説明図である。
【図２４】上記第１実施例の外線着信時における網制御装置の動作を示すフローチャートである。
【図２５】上記第１実施例の外線着信時における無線端末装置の動作を示すフローチャートである。
【図２６】上記第１実施例における外線通信シーケンスを示す説明図である。
【図２７】上記第１実施例の内線通信時における集中制御局の動作を示すフローチャートである。
【図２８】上記第１実施例の端末局における内線発信時の動作を示すフローチャートである。
【図２９】上記第１実施例の端末局における内線着信時の動作を示すフローチャートである。
【図３０】上記第１実施例におけるデータ端末間の通信シーケンスを示す説明図である。
【図３１】上記第１実施例におけるデータ端末間の接続通信動作を示すフローチャートである。
【図３２】上記第１実施例におけるデータ送信動作を示すフローチャートである。
【図３３】上記第１実施例におけるデータ受信動作を示すフローチャートである。
【図３４】上記第１実施例におけるデータ端末間の切断通信動作を示すフローチャートである。
【図３５】本発明の第２実施例における外線発信シーケンスを示す説明図である。
【図３６】上記第２実施例の外線発信時における網制御装置の動作を示すフローチャートである。
【図３７】上記第１実施例の外線発信時における無線端末装置の動作を示すフローチャートである。
【図３８】本発明の第２実施例における外線着信シーケンスを示す説明図である。
【図３９】上記第２実施例の外線着信時における網制御装置の動作を示すフローチャートである。
【図４０】上記第１実施例の外線着信時における無線端末装置の動作を示すフローチャートである。
【符号の説明】
１０１…網制御装置
１０２…公衆回線、
１０３…無線電話機、
１０４…コンピュータ、
１０５…マルチメディア端末、
１０６…プリンタ、
１０７…ファクシミリ、
１０８…複写機、
１０９…ＬＡＮゲートウエイ。
【図１】
0003581487.tif 000002
【図２】
0003581487.tif 000003
【図３】
0003581487.tif 000004
【図４】
0003581487.tif 000005
【図５】
0003581487.tif 000006
【図６】
0003581487.tif 000007
【図７】
0003581487.tif 000008
【図８】
0003581487.tif 000009
【図９】
0003581487.tif 000010
【図１０】
0003581487.tif 000011
【図１１】
0003581487.tif 000012
【図１２】
0003581487.tif 000013
【図１３】
0003581487.tif 000014
【図１４】
0003581487.tif 000015
【図１５】
0003581487.tif 000016
【図１６】
0003581487.tif 000017
【図１７】
0003581487.tif 000018
【図１８】
0003581487.tif 000019
【図１９】
0003581487.tif 000020
【図２０】
0003581487.tif 000021
【図２１】
0003581487.tif 000022
【図２２】
0003581487.tif 000023
【図２３】
0003581487.tif 000024
【図２４】
0003581487.tif 000025
【図２５】
0003581487.tif 000026
【図２６】
0003581487.tif 000027
【図２７】
0003581487.tif 000028
【図２８】
0003581487.tif 000029
【図２９】
0003581487.tif 000030
【図３０】
0003581487.tif 000031
【図３１】
0003581487.tif 000032
【図３２】
0003581487.tif 000033
【図３３】
0003581487.tif 000034
【図３４】
0003581487.tif 000035
【図３５】
0003581487.tif 000036
【図３６】
0003581487.tif 000037
【図３７】
0003581487.tif 000038
【図３８】
0003581487.tif 000039
【図３９】
0003581487.tif 000040
【図４０】
0003581487.tif 000041